(57)【要約】      （修正有）【課題】暗号化データにより、さらに、分離式の専用ストレージモジュール方式により、安全性を高めるデータストレージ方法を提供する。【解決手段】データストレージ方法であって、専用ストレージモジュールの情報端子プラグを暗号モジュールの情報端子ジャックに挿入して、さらに、取付モジュールのロック素子が専用ストレージモジュールのロック孔に固定される。さらに、暗号モジュールが情報端子ジャックを介して専用スレージモジュールに電気的に接続される。続いて、暗号モジュールの外部素子が外部デバイスに電気的に接続されて、暗号モジュールの暗号化素子によって、機密データ（すでに保存されたものまたは今から保存するもの）が暗号化または復号されて、外部デバイスと専用ストレージモジュールのストレージ素子内において交換される。【選択図】図４ａ
2020098563.tif 000002
【特許請求の範囲】
【請求項１】
データストレージ方法であって、  専用ストレージモジュールの情報端子プラグを暗号モジュールの情報端子ジャックに挿入し、さらに、取付モジュールのロック素子が専用ストレージモジュールのロック孔に固定されるステップ１と、  前記暗号モジュールが前記情報端子ジャックを介して前記専用ストレージモジュールに電気的に接続されるステップ２と、  前記暗号モジュールの外部素子が外部デバイスに電気的に接続されて、前記該暗号モジュールの暗号化素子によって機密データが暗号化または復号されて、外部デバイスと前記専用ストレージモジュールのストレージ素子内において交換されるステップ３とを備えることを特徴とするデータストレージ方法。
【請求項２】
ステップ１の前に、指紋認証スイッチにより電源素子を起動させることを特徴とする請求項１に記載のデータストレージ方法。
【請求項３】
ステップ１の後に、前記ロック孔の受電箇所と前記ロック素子の電気供給箇所は電気的に接続されることを特徴とする請求項１に記載のデータストレージ方法。
【請求項４】
前記暗号モジュールの前記外部素子は外部デバイスに電気的に接続されて、前記暗号モジュールの前記暗号化素子によって、副次機密データが暗号化または復号されて、外部デバイスにおいて交換され、さらに、前記副次機密データが一般のストレージデバイス内に保存されることを特徴とする請求項２に記載のデータストレージ方法。
【請求項５】
前記暗号モジュールの表示ランプは、使用状態に基づき異なるランプによるフィードバックが可能であることを特徴とする請求項１に記載のデータストレージ方法。
【請求項６】
ステップ３時に、前記暗号化素子が暗号化したキーは、前記指紋認証スイッチを介して別に定義されることを特徴とする請求項１に記載のデータストレージ方法。
【請求項７】
ステップ３の後に、前記取付モジュールの前記ロック素子によって、前記専用ストレージモジュールの前記ロック孔への固定が解除され、さらに、前記専用ストレージモジュールの前記情報端子プラグを前記暗号モジュールの前記情報端子ジャックから離脱させることを特徴とする請求項１に記載のデータストレージ方法
。
【請求項８】
続いて再度ステップ１を実行した後、ステップ３において、前記機密データにアクセスしたい時、元の前記指紋認証スイッチにより定義された暗号化キーを提供する必要があることを特徴とする請求項７に記載のデータストレージ方法。 
【発明の詳細な説明】
【技術分野】
【０００１】
本発明は、暗号データ保護の方法に関し、特に、機密データを移動保存することが可能な実体モジュールであり、外部素子を介して外部デバイスに電気的に接続して機密データを保存し、暗号化モジュールを介して、暗号データを保存して移動させることができる専用ストレージモジュールを用いた方法に関する。    
【背景技術】
【０００２】
現在プライベートネットワークにおいて個人向けのクラウドストレージを使用する状況は普及の傾向にある。同時に、プライベートのストレージデバイスは、集中管理化される傾向があり、プライベートネットワークが独立したネットワークストレージデバイスにアクセスして、データを集中管理したり、バックアップを行なったりする。しかしながら、それに伴い、個人のデータに関するプライバシー保護の問題も顕著になっている。
【０００３】
以下に、保存システムに関する特許を開示する。
【０００４】
ＵＳ  １３／９７１，７３２では、コンピュータシステムデータの安全な保存方法及びデバイスを開示している。当該の発明の実施例は、ＳＡＴＡによるデータがソフトウェア層において透明度の高い暗号化及び復号がなされる。これは、ファイルシステム、デバイスの駆動、オペレーションシステムまたはアプリケーションプログラムのいかなるソフトウェアに対しても修正が不要である。遠隔地では中央遠隔管理システム上において暗号化キーの管理を実行するか、または、ローカル側において前記暗号化キーの管理を実行する。この発明の実施例では、スナップショット（ｓｎａｐｓｈｏｔｓ）を使用してバックグラウンドでバックアップを実行する。当該の発明の実施例において含まれるセキュリティ面における特徴は、ＳＡＴＡがセキュリティサブシステムに大容量保存する優先性とバックグラウンドアクセスのウィルススキャンの両方またはいずれか一方、バーチャル／ネットワークドライブ、ＲＡＭドライブ及びポートセレクタを備える点である。 
【０００５】
ＴＷ  Ｉ５８４１５１は、セキュリティメカニズムを有するフラッシュメモリで、コンピュータがデジタルデータにアクセスするのに適用されて、データ保存装置及びリモート解錠装置を備えることを開示する。前記データ保存装置は、データ読み取りモジュール、データ解錠コントロールモジュール及びデータ側無線送受信モジュールを備える。前記リモート解錠装置は、解錠側無線送受信モジュール及びキー生成モジュールを備える。前記データ保存装置と前記コンピュータが接続されると、前記データ解錠コントロールモジュールが前記データ読み取りモジュールをコントロールすることで、前記コンピュータが前記データ保存装置に対してデータの読み取りを行なうのを禁止する。前記リモート解錠装置は、無線データにより前記データ保存装置が送信した暗号化キーのデータに関して、前記データ読み取りモジュールをコントロールすることで、前記コンピューターに前記データ保存装置に対して情報の読み取りを行わせる。 
【０００６】
ＥＰ  １２１７８８８９．７は、定義された信任可能な環境において、あるサービスに対して安全に読み取ることができる方法を開示する。少なくとも一個のネットワークアセンブリが、前記定義された信任可能な環境において、パスワードを前記ネットワークアセンブリに保存する。ユーザーデバイスが前記信任可能な環境において導入され、さらに、前記ユーザーデバイスが、前記ネットワークアセンブリに連絡し且つ前記ネットワークアセンブリ中の前記パスワードを読み取って保存する。前記ユーザーデバイスは、前記パスワードを前記サービスに伝達し、且つ、前記サービス中に保存されたパスワードが、前記ユーザーデバイスから前記サービスに伝達された前記パスワードと合致すれば、前記ユーザーデバイスが前記サービスを使用開始することが可能となる。 
【０００７】
しかしながら、データのプライバシー面において、やはり不安材料が残る。したがって、機密データ保護の安全性を高めるために、従来の欠点を改善するデータストレージ方法を提供する必要がある。
【先行技術文献】
【特許文献】
【０００８】
【特許文献１】ＵＳ  １３／９７１，７３２
【発明の概要】
【発明が解決しようとする課題】
【０００９】
本発明は、従来の問題を改善するために、暗号化データにより、さらに、分離式の専用ストレージモジュール方式により、安全性を高めるデータストレージ方法を提供することを課題とする。        
【課題を解決するための手段】
【００１０】
したがって、本発明のデータストレージ方法は、多種類の安全措置を組み合わせることで安全性を高めることを特徴とする。 
【００１１】
さらに、本発明のデータストレージ方法は、指紋認証方式を採用して電源を起動させる方式により、部外者が機密データに接触するリスクを回避することを特徴とする。 
【００１２】
またさらに、本発明のデータストレージ方法は、専属の情報端子プラグと情報端子ジャックの組合せにより、不必要な電気的接続を簡単に回避できることを特徴とする。 
【００１３】
またさらに、本発明のデータストレージ方法は、ロック素子により専用モジュール電力を提供して、安易な専用モジュールへの電力導通を回避することを特徴とする。 
【００１４】
またさらに、本発明のデータストレージ方法は、外部素子と外部デバイスの電気的接続により、本発明とのシンプルでスピーディーなデータ交換が可能であることを特徴とする。 
【００１５】
またさらに、本発明のデータストレージ方法は、暗号化素子に指紋認証スイッチを組み合わせてデータの暗号化を図ると同時に、専用ストレージモジュールに移すことを特徴とする。 
【００１６】
またさらに、本発明のデータストレージ方法は、専用ストレージモジュールのみを有する時、対応する指紋がない場合に機密データを取得することができないことを特徴とする。 
【００１７】
上記目的を達成するために、本発明が使用する技術、手段は、以下の技術方案によってこれを実現する。本発明のデータストレージ方法は、以下のステップを備える。ステップ１では、専用ストレージモジュールの情報端子プラグを暗号モジュールの情報端子ジャックに挿入し、さらに、取付モジュールのロック素子が専用ストレージモジュールのロック孔に固定される。ステップ２では、前記暗号モジュールが前記情報端子ジャックを介して前記専用ストレージモジュールに電気的に接続される。ステップ３は、前記暗号モジュールの外部素子が外部デバイスに電気的に接続されて、前記該暗号モジュールの暗号化素子によって機密データが暗号化または復号されて、外部デバイスと前記専用ストレージモジュールのストレージ素子内において交換される。 
【００１８】
本発明の目的及び技術問題の解決には、以下のステップにより実現する。 
【００１９】
前述の方法において、ステップ１の前に、指紋認証スイッチにより電源素子を起動させる。 
【００２０】
前述の方法において、ステップ１の後に、前記ロック孔の受電箇所と前記ロック素子の電気供給箇所は電気的に接続される。 
【００２１】
前述の方法において、さらに、前記暗号モジュールの前記外部素子は外部デバイスに電気的に接続されて、前記暗号モジュールの前記暗号化素子によって、副次機密データが暗号化または復号されて、外部デバイスにおいて交換され、さらに、前記副次機密データが一般のストレージデバイス内に保存される。 
【００２２】
前述の方法において、前記暗号モジュールの表示ランプは、使用状態に基づき異なるランプによるフィードバックが可能である。 
【００２３】
前述の方法において、ステップ３時に、暗号化素子が暗号化したキーは、前記指紋認証スイッチを介して別に定義される。 
【００２４】
前述の方法において、ステップ３の後に、前記取付モジュールの前記ロック素子によって、前記専用ストレージモジュールの前記ロック孔への固定が解除され、さらに、前記専用ストレージモジュールの前記情報端子プラグを前記暗号モジュールの前記情報端子ジャックから離脱させる。 
【００２５】
前述の方法において、さらに、続けて、再度ステップ１を実行した後、ステップ３において、前記機密データにアクセスしたい時、元の前記指紋認証スイッチにより定義された暗号化キーを提供する必要がある。         
【発明の効果】
【００２６】
従来の技術と比較すると、本発明は、以下の効果を有する。  専属の情報端子プラグと情報端子ジャックを組み合わせることで、簡単に不要な電気的に接続を回避できる。  指紋認証方式で電源を起動する方式により、部外者が機密データに接触するリスクを極力回避できる。  暗号化データにより、さらに、分離式の専用ストレージモジュール方式により、安全性を高める。 
【図面の簡単な説明】
【００２７】
【図１】本発明の好適な実施形態におけるフローチャート（一）である。
【図２】本発明の好適な実施形態におけるフローチャート（二）である。
【図３】本発明の好適な実施形態におけるフローチャート（三）である。
【図４ａ】本発明の好適な実施形態におけるフローチャート（四）である。
【図４ｂ】本発明の好適な実施形態におけるフローチャート（五）である。
【図５ａ】本発明の好適な実施形態における専用ストレージモジュールの側面図である。
【図５ｂ】本発明の好適な実施形態における全体的外観の側面図である。
【図６ａ】本発明の好適な実施形態における分解図である。
【図６ｂ】本発明の好適な実施形態における専用ストレージモジュールの使用状態を示した図（一）である。
【図６ｃ】本発明の好適な実施形態における専用ストレージモジュールの使用状態を示した図（二）である。
【図６ｄ】本発明の好適な実施形態における専用ストレージモジュールの使用状態を示した図（三）である。
【図６ｅ】本発明の好適な実施形態における専用ストレージモジュールの使用状態を示した図（四）である。
【図７ａ】本発明の好適な実施形態における固定モジュールの専用ストレージモジュールを示した図である。
【図７ｂ】本発明の好適な実施形態における固定モジュールの暗号モジュールを示した図である。
【図７ｃ】本発明の好適な実施形態における外部デバイスと外部素子の機密データ交換を示した図である。
【図７ｄ】本発明の好適な実施形態における外部デバイスと外部素子の副次機密データ交換を示した図である。
【発明を実施するための形態】
【００２８】
本発明の目的、特徴、効果を明確にするために、以下に本発明の好適な実施形態を例として説明する。 
【００２９】
まず、図１を参照しながら説明する。本発明のデータストレージ方法は、ステップ１（１）、ステップ２（２）及びステップ３（３）を備える。 
【００３０】
図１のステップ１（１）を参照しながら説明する。前記ステップ１（１）は、専用ストレージモジュール（１０）の情報端子プラグ（１１）を暗号モジュール（２０）の情報端子ジャック（２１）に挿入し、さらに、取付モジュール（３０）のロック素子（３１）が前記専用ストレージモジュール（１０）のロック孔（１２）に固定される。 
【００３１】
さらに、図１のステップ２（２）を参照しながら説明する。前記ステップ２（２）は、前記暗号モジュール（２０）が前記情報端子ジャック（２１）を介して前記専用ストレージモジュール（１０）に電気的に接続される。 
【００３２】
さらに、図１のステップ３（３）を参照しながら説明する。前記ステップ３（３）は、前記暗号モジュール（２０）の外部素子（２２）が外部デバイス（４０）に電気的に接続され、前記暗号モジュール（２０）の暗号化素子（２３）によって機密データ（４１）が暗号化または復号されて、外部デバイス（４０）と前記専用ストレージモジュール（１０）のストレージ素子（１４）内において交換される。 
【００３３】
また、いずれのステップも前記暗号モジュール（２０）の表示ランプ（２６）を組み合わせて、使用状態に基づき異なるランプによるフィードバックが可能である。 
【００３４】
明確に前記専用ストレージモジュール（１０）を説明するために、図５ａ及び図７ａを参照しながら説明する。前記専用ストレージモジュール（１０）は、情報端子プラグ（１１）、ロック孔（１２）、コントロール素子（１３）、ストレージ素子（１４）及び基板（１５）を備えて、前記基板（１５）により前記専用ストレージモジュール（１０）の各素子に電気的に接続される。 
【００３５】
具体的には、前記情報端子プラグ（１１）は、特殊な定義の実体規格の電気的接触端子を指し、プラグの形態を呈する（図５ａに示された形態）。その作用は、普及している規格の使用により、設計外の電気的接触が発生してしまうことを回避するためである。また、ロック孔（１２）は、前記専用ストレージモジュール（１０）一側に設置されるものを指す（図５ａに示された形態）。その主な作用は、前記専用ストレージモジュール（１０）を指定の位置に固定させて、情報端子プラグ（１１）と情報端子ジャック（２１）間において安定した位置関係を維持させるのを助けるためである。コントロール素子（１３）は、複雑なコンピュータプログラムを実行するロジックデバイスである。ストレージ素子（１４）は、不揮発メモリ（Ｎｏｎ−ｖｏｌａｔｉｌｅ  ｍｅｍｏｒｙ，ＮＶＲＡＭ）であり、電流がオフになった後も保存されたデータが消失しないという特性を有し、これにより、関連する設定及び記録データを保存できる。前記基板（１５）は、通常回路基板（ｃｉｒｃｕｉｔ  ｂｏａｒｄ）である。例えば、基板は、単層または多層回路を有するプリント基板である。また、リードフレーム、回路フィルム（Ｐｏｌｙｉｍｉｄｅ）、ＢＴ回路板または各種チップパッケージ基板でも可能である。前記基板（１５）内部には回路が形成されて（図示はされない）、電気的伝達インターフェースとすることも可能である。 
【００３６】
図６ａ及び図７ｂを参照しながら、明確に前記暗号モジュール（２０）について説明する。前記暗号モジュール（２０）は、情報端子ジャック（２１）、外部素子（２２）、暗号化素子（２３）、電源素子（２４）及び回路基板（２５）を備える。前記回路基板（２５）によって前記暗号モジュール（２０）の各素子に電気的に接続される。 
【００３７】
前記情報端子ジャック（２１）は、特殊な定義の実体規格の電気的接触端子でプラグの形態を呈する（図６ｃに示された形態）。その作用は、普及する規格を使用することで、設計外の電気的接触が発生することを回避するためである。また、外部素子（２２）は、インターネット接続機能を提供する集合体である。例えば、ネットワークインタフェースコントローラ（ｎｅｔｗｏｒｋ  ｉｎｔｅｒｆａｃｅ  ｃｏｎｔｒｏｌｌｅｒ，ＮＩＣ）は、一種のデバイスがインターネット上において通信を行なうことを許可するために設計されたハードウェアで、無線または有線が可能で、その作用は、ローカルと外部でデータを交換できるインターフェースを提供するものである。暗号化素子（２３）は、内部に集められた各種対象及び非対称演算法に対して、自らが極めて高いセーフティーレベルを有して、内部に保存されたキー及び情報データが違法に読み取られたり、改ざんされたりしないように保証するセキュリティチップの総称である。それは、前記暗号モジュール（２０）に、暗号化（Ｅｎｃｒｙｐｔｉｏｎ）を経て、明文化されたデータ情報を変更させて、読み取りが困難な暗号内容にすることで、読み取れなくする過程である。また、復号キーを有する対象のみが復号の過程によって、はじめて暗号を元の正常な正常な読み取り可能な内容に復元させることができる。前記電源素子（２４）は、外付け電源方式により作動電力を取得し、前記専用ストレージモジュール（１０）、前記暗号モジュール（２０）及び前記取付モジュール（３０）に、作動に必要な電気エネルギーを提供する。さらに、回路基板（２５）は、通常回路基板（ｃｉｒｃｕｉｔ  ｂｏａｒｄ）である。例えば、基板は、単層または多層の回路を有するプリント基板である。また、リードフレーム、回路フィルム（Ｐｏｌｙｉｍｉｄｅ）、ＢＴ回路板または各種チップパッケージ基板でも可能である。前記基板（２５）内部には回路が形成されて（図示はされない）、電気的伝達インターフェースとすることも可能である。 
【００３８】
明確に前記取付モジュール（３０）を説明するために、図６ａ及び図７ｂを参照する。図２ａ及び図２ｂに示したように、前記取付モジュール（３０）は、ロック素子（３１）及び動力素子（３２）を備えて、前記電源素子（２４）は、前記動力素子（３２）に電気エネルギーを提供して前記ロック素子（３１）を駆動して移動させる。 
【００３９】
前記ロック素子（３１）は、前記専用ストレージモジュール（１０）一側に設置される（図２ｂに示されたとおり）。その主な作用は、前記専用ストレージモジュール（１０）を指定の位置に固定させて、情報端子プラグ（１１）と情報端子ジャック（２１）の間において安定した位置関係を維持させるのを助けるためである。また、前記動力素子（３２）は、モータ（Ｅｌｅｃｔｒｉｃ  ｍｏｔｏｒ）を備える機能を有し、電気エネルギーを機械エネルギーに変換させて、さらに機械エネルギーを利用して動エネルギーを発生させて、外部パーツを動かすことで、前記専用ストレージモジュール（１０）の電気設備を駆動させるものである。 
【００４０】
好適には、図２に示したように、別にステップ１ａ（１ａ）及びステップ１ｂ（１ｂ）を備えることが好ましい。 
【００４１】
ステップ１（１）の前に、ステップ１ａ（１ａ）を備えて、前記ステップ１ａ（１ａ）は、指紋認証スイッチ（３３）により、電源素子（２４）を起動させ、前記指紋認証スイッチ（３３）は取付モジュール（３０）内に備える。前記指紋認証スイッチ（３３）は、指紋認証及び電力スイッチの二重機能を有する素子であり、指紋を読み取り、指紋を押すことにより前記電源素子（２４）を触発して電源が導通しているかどうかを確認する。 
【００４２】
また、ステップ１（１）の後に、ステップ１ｂ（１ｂ）を備える。前記ステップ１ｂ（１ｂ）は受電箇所とロック素子（３１）の電気供給箇所（図示はされない）が電気的に接続される。前記ロック孔（１２）の受電箇所（図示はされない）と前記３１を含むロック素子の一電気供給箇所（図示はされない）は電気的に接続されて、前記専用ストレージモジュール（１０）が必要とする電気エネルギーを提供することにより、前記専用ストレージモジュール１０が自ら電気的接続する状況を困難にする。 
【００４３】
さらに好適には、図３に示したように、続いて、ステップ１ｃ（１ｃ）を備えることが好ましい。 
【００４４】
ステップ１ａ（１ａ）の後に、ステップ１ｃ（１ｃ）を追加して、さらに前記暗号モジュール（２０）の前記外部素子（２２）を外部デバイス（４０）に電気的に接続させる。前記暗号モジュール（２０）の前記暗号化素子（２３）によって副次機密データ（４２）が暗号化または復号されて、外部デバイス（４０）において交換される。また、前記副次機密データ（４２）は、一般のストレージデバイス（５０）内に保存される。前記一般のストレージデバイス（５０）は前記暗号モジュール（２０）に電気的に接続されて、これにより副次機密データの安全性が保護される。 
【００４５】
好適には、図４ａ及び図４ｂに示したように、さらに続けてステップ３ａ（３ａ）、ステップ３ｂ（３ｂ）及びステップ４（４）を備えることが好ましい。 
【００４６】
ステップ３（３）時に、ステップ３ａ（３ａ）を追加して前記暗号化素子（２３）に、暗号化したキーが前記指紋認証スイッチ（３３）を介して別の定義として実行させる。前記専用ストレージモジュール（１０）のみで、対応する指紋がない状況においては、機密データが取得できない。また、ステップ３（３）の後に、ステップ４（４）を追加して、前記取付モジュール（３０）の前記ロック素子（３１）によって前記専用ストレージモジュール（１０）のロック孔（１２）の固定を解除し、さらに、前記専用ストレージモジュール（１０）の前記情報端子プラグ（１１）を前記暗号モジュール（２０）の前記情報端子ジャック（２１）から離脱させる。次に、さらにステップ１（１）を実行した後、ステップ３（３）中、ステップ３ｂ（３ｂ）を追加し、前記機密データ（４１）を取得したい時は、元の前記指紋認証スイッチ（３３）が定義する暗号化されたキーを提供する必要がある。 
【００４７】
前記専用ストレージモジュール（１０）と前記暗号モジュール（２０）間における使用の変化を明確にするために、図６ｂ及び図６ｃを参照しながら説明する。前記専用ストレージモジュール（１０）は前記暗号モジュール（２０）に向かって挿入する。前記情報端子プラグ（１１）と前記情報端子ジャック（２１）は同時に移動する。次に、前記情報端子プラグ（１１）と前記情報端子ジャック（２１）は相互に接触する（図示はされない）。この時、前記ロック素子（３１）を触発してロック孔（１２）に固定して、情報端子プラグ（１１）と情報端子ジャック（２１）の間における位置関係を安定させる。前記専用ストレージモジュール（１０）を退出させる時、図２ｃ及び図２ｄに示したように、前記ロック素子（３１）を触発してロック孔（１２）に固定された状態を解除して、動力素子（３２）によって前記専用ストレージモジュール（１０）を離脱させることで、情報端子プラグ（１１）と情報端子ジャック（２１）を分離させ、さらに、使用者によって前記専用ストレージモジュール（１０）が離脱される。 
【００４８】
以下に、本発明のデータストレージ方法の好適な実施形態の場合を例に説明する。本発明の実施の過程について以下に詳細に説明する。 
【００４９】
まず、図５ｂ及び図６ａを参照しながら説明する。前記電源素子（２４）から外付け電源の方式によって作動電力を取得する。前記指紋認証スイッチ（３３）を介して前記電源素子（２４）を起動することで、前記専用ストレージモジュール（１０）、前記暗号モジュール（２０）及び前記取付モジュール（３０）が作動に必要とする電気エネルギー取得し、表示ランプ（２６）によって本発明との使用状態を知る。 
【００５０】
図７ｄを参照しながら説明する。この時、前記暗号モジュール（２０）の前記外部素子（２２）が外部デバイス（４０）に電気的に接続されて、前記暗号モジュール（２０）の前記暗号化素子（２３）によって、副次機密データ（４２）が暗号化または復号されて、外部デバイス（４０）において交換される。また、前記副次機密データ（４２）は一般のストレージデバイス（５０）内に保存される。 
【００５１】
前記情報端子プラグ（１１）が前記情報端子ジャック（２１）に挿入されると、図５ｂ、図６ｂ及び図６ｃに示したように、前記情報端子プラグ（１１）と前記情報端子ジャック（２１）が同時に移動する。 
【００５２】
さらに、前記情報端子プラグ（１１）と前記情報端子ジャック（２１）は相互に接触する（図示はされない）。この時、前記ロック素子（３１）を触発してロック孔（１２）に固定して、情報端子プラグ（１１）と情報端子ジャック（２１）の間における安定した位置関係を維持させるのを助けると同時に、前記ロック孔（１２）の受電箇所（図示はされない）と前記３１を含むロック素子の一電気供給箇所（図示はされない）を電気的に接続させて、前記専用ストレージモジュール１０が必要とする電気エネルギーを提供して、表示ランプ２６により本発明との使用状態を知る。 
【００５３】
また、図７ｃに示したように、前記暗号モジュール（２０）は、前記情報端子ジャック（２１）を介して専用ストレージモジュール（１０）に電気的に接続される。前記暗号モジュール（２０）の前記外部素子（２２）は外部デバイス（４０）に電気的に接続されて、機密データ（４１）を取得する。前記暗号化素子（２３）は、暗号化されたキーが前記指紋認証スイッチ（３３）を介して、別に指紋を取得して別の定義として機密データ（４１）を実行させる。次に、すでに暗号化された前記機密データ（４１）を  前記ストレージ素子（１４）内に保存して、表示ランプ（２６）により本発明との読み取り状態を知る。 
【００５４】
次に、図６ｂ及び図６ｃを参照しながら説明する。前記専用ストレージモジュール（１０）を退出させる時は、図６ｃ及び図６ｄに示したように、前記ロック素子（３１）を触発して、解除固定於ロック孔（１２）に固定された状態を解除する。動力素子（３２）によって前記専用ストレージモジュール（１０）が押し出されることで、情報端子プラグ（１１）と情報端子ジャック（２１）が分離し、さらに使用者によって前記専用ストレージモジュール（１０）が離脱される。 
【００５５】
その後、前記機密データ（４１）を読み取る際には、以上の前記専用ストレージモジュール（１０）起動のステップを繰り返して、前記ストレージ素子（１４）内のすでに暗号化された前記機密データ（４１）が読み取れるまで、元の前記指紋認証スイッチ（３３）に定義させた暗号化されたキーを提供することによってのみ、元の前記機密データ（４１）が取得解読できる。 
【００５６】
以上、本発明の実施例を図面を参照して詳述してきたが、具体的な構成は、これらの実施例に限られるものではなく、本発明の要旨を逸脱しない範囲の設計変更などがあっても、本発明に含まれる。 
【符号の説明】
【００５７】
１       ステップ１１ａ       ステップ１ａ１ｂ       ステップ１ｂ１ｃ       ステップ１ｃ２       ステップ２３       ステップ３３ａ       ステップ３ａ３ｂ       ステップ３ｂ４       ステップ４１０       専用ストレージモジュール１１       情報端子プラグ１２       ロック孔１３       コントロール素子１４       ストレージ素子１５       基板２０       暗号モジュール２１       情報端子ジャック２２       外部素子２３       暗号化素子２４       電源素子２５       回路基板２６       表示ランプ３０       取付モジュール３１       ロック素子３２       動力素子３３       指紋認証スイッチ４０       外部デバイス４１       機密データ４２       副次機密データ５０       一般のストレージデバイス 
【図１】
2020098563.tif 000003
【図２】
2020098563.tif 000004
【図３】
2020098563.tif 000005
【図４ａ】
2020098563.tif 000006
【図４ｂ】
2020098563.tif 000007
【図５ａ】
2020098563.tif 000008
【図５ｂ】
2020098563.tif 000009
【図６ａ】
2020098563.tif 000010
【図６ｂ】
2020098563.tif 000011
【図６ｃ】
2020098563.tif 000012
【図６ｄ】
2020098563.tif 000013
【図６ｅ】
2020098563.tif 000014
【図７ａ】
2020098563.tif 000015
【図７ｂ】
2020098563.tif 000016
【図７ｃ】
2020098563.tif 000017
【図７ｄ】
2020098563.tif 000018